(57)【要約】【課題】安全運転を確保しつつ搭乗者間の相互理解を促すことで、目的地点設定の最適化を図ること。【解決手段】車両の運転席と助手席に対して、それぞれ情報を表示できる表示部１０５を備えた表示制御装置１００において、入力部１０１は、地図上の検索対象となる任意の地点の入力を受け付ける。検索部１０２は、地図情報データベース１１０に記録された地図情報の中から、入力部１０１によって入力された任意の地点に関する情報を検索する。抽出部１０３は、検索部１０２によって検索された検索情報の中から、少なくとも任意の地点の位置情報を含む情報を、運転席に対して表示部１０５に表示するために抽出する。そして、表示制御部１０４は、抽出部１０３によって抽出された位置情報を含む情報を運転席、検索情報を助手席に対してそれぞれ表示する。【選択図】図１
2008020274.tif 000002
【特許請求の範囲】
【請求項１】
車両の運転席と助手席に対して、それぞれ情報を表示できる表示部を備えた表示制御装置において、
地図上の検索対象となる任意の地点の入力を受け付ける入力手段と、
地図情報データベースに記録された地図情報の中から、前記入力手段によって入力された任意の地点に関する情報を検索する検索手段と、
前記検索手段によって検索された情報（以下、「検索情報」という）の中から、少なくとも前記任意の地点の位置情報を含む情報を、前記運転席に対して表示するために抽出する抽出手段と、
前記抽出手段によって抽出された位置情報を含む情報を前記運転席、前記検索情報を前記助手席に対してそれぞれ表示部に表示する表示制御手段と、
を備えることを特徴とする表示制御装置。
【請求項２】
前記抽出手段は、
前記検索手段によって検索された検索情報の中から少なくとも前記任意の地点の属性情報を含む情報を、前記助手席に対して表示するために抽出し、
前記表示制御手段は、
前記位置情報を含む情報を前記運転席、前記属性情報を含む情報を前記助手席に対してそれぞれ表示することを特徴とする請求項１に記載の表示制御装置。
【請求項３】
前記入力手段は、
前記車両が走行中である場合、前記助手席に対して表示された情報に基づいてされた、当該助手席の搭乗者による入力を受け付けることを特徴とする請求項１に記載の表示制御装置。
【請求項４】
前記検索手段は、
前記任意の地点に関する緯度経度情報と経路情報とを含む前記位置情報と、当該任意の地点に関する利用情報と宣伝広告情報とを含む属性情報とを少なくとも含む検索情報を検索することを特徴とする請求項１〜３のいずれか一つに記載の表示制御装置。
【請求項５】
車両の運転席と助手席に対して、それぞれ情報を表示できる表示部を備えた表示制御装置において、
前記車両の現在地点を算出する現在地点算出手段と、
地図情報データベースに記録された地図情報の中から、前記現在地点算出手段によって算出された現在地点を含む所定範囲の地図情報を抽出する地図情報抽出手段と、
前記現在地点算出手段によって算出された現在地点近傍に位置する施設に関する情報（以下、「施設情報」という）を前記地図情報データベースから抽出する施設情報抽出手段と、
前記地図情報抽出手段によって抽出された所定範囲の地図情報を前記運転席、前記施設情報を前記助手席に対してそれぞれ表示部に表示する表示制御手段と、
を備えることを特徴とする表示制御装置。
【請求項６】
前記施設情報抽出手段は、
前記車両の現在地点が変化するに伴い、その近傍に位置する施設の施設情報を抽出し、
前記表示制御手段は、
前記施設情報抽出手段が抽出した施設情報を、その抽出に伴い前に表示されていた施設情報に変えて表示部に表示することを特徴とする請求項５に記載の表示制御装置。
【請求項７】
車両の運転席と助手席に対して、それぞれ情報を表示部に表示する表示制御方法において、
地図上の検索対象となる任意の地点の入力を受け付ける入力工程と、
地図情報データベースに記録された地図情報の中から、前記入力工程によって入力された任意の地点に関する情報を検索する検索工程と、
前記検索工程によって検索された検索情報の中から、少なくとも前記任意の地点の位置情報を含む情報を、前記運転席に対して表示するために抽出する抽出工程と、
前記抽出工程によって抽出された位置情報を含む情報を前記運転席、前記検索情報を前記助手席に対してそれぞれ表示部に表示する表示制御工程と、
を含むことを特徴とする表示制御方法。
【請求項８】
車両の運転席と助手席に対して、それぞれ情報を表示できる表示部を備えた表示制御方法において、
前記車両の現在地点を算出する現在地点算出工程と、
地図情報データベースに記録された地図情報の中から、前記現在地点算出工程によって算出された現在地点を含む所定範囲の地図情報を抽出する地図情報抽出工程と、
前記現在地点算出工程によって算出された現在地点近傍に位置する施設に関する情報（以下、「施設情報」という）を前記地図情報データベースから抽出する施設情報抽出工程と、
前記地図情報抽出工程によって抽出された所定範囲の地図情報を前記運転席、前記施設情報を前記助手席に対してそれぞれ表示部に表示する表示制御工程と、
を含むことを特徴とする表示制御方法。
【請求項９】
請求項７または８に記載の表示制御方法をコンピュータに実行させることを特徴とする表示制御プログラム。
【請求項１０】
請求項９に記載の表示制御プログラムを記録したことを特徴とするコンピュータに読み取り可能な記録媒体。
【発明の詳細な説明】
【技術分野】
【０００１】
この発明は、情報を表示する表示制御装置、表示制御方法、表示制御プログラムおよびコンピュータに読み取り可能な記録媒体に関する。ただし、この発明の利用は、上述した表示制御装置、表示制御方法、表示制御プログラムおよびコンピュータに読み取り可能な記録媒体には限られない。
【背景技術】
【０００２】
従来、車両を目的地点まで誘導するカーナビゲーション装置などでは、現在地点から目的地点までにおける最適な経路を探索し、探索した経路について、地図表示や音声案内などの手段によって運転者に案内をおこない、車両を目的地点まで誘導する。
【０００３】
これまで、カーナビゲーション装置などでは、現在位置の情報と、あらかじめ記憶されている各地点の情報（たとえば、道路の距離、道路の幅員、渋滞情報など）を用いて、現在地点から目的地点までの種々の経路を評価することによって経路探索をおこなっていた。そして、これらの経路の中で最も評価の優れた経路を最適経路として選択し、選択した最適経路を進行経路として表示する提案がされている（たとえば、下記特許文献１参照。）。
【０００４】
【特許文献１】特開平０６−３０９５９５号公報
【発明の開示】
【発明が解決しようとする課題】
【０００５】
しかしながら、上記従来技術では、助手席の搭乗者は、運転者と同一の表示画面を確認する構成であるため、運転者が車両を運転中の場合は、安全運転を促すために、目的地点までの経路情報を確認することができるだけである。すなわち、助手席の搭乗者であっても、運転者が車両を運転中の場合は、目的地点とする施設に関する案内情報や広告情報などの詳細情報について確認することができないという問題が一例として挙げられる。
【０００６】
また、助手席の搭乗者は、運転者と同一の表示画面を確認しているため、運転者が車両を運転中に目的地点を選択したい場合は、目的地点に関する詳細情報を確認できないため、最適な目的地点の選択をおこなうことができないという問題が一例として挙げられる。
【０００７】
また、運転席用と助手席用に複数の表示画面を設けた場合は、ナビゲーション装置の高コスト化に繋がるという問題が一例として挙げられる。さらに、同一の表示画面に運転席用と助手席用の情報を合わせて表示した場合は、多くの情報が表示画面に表示され確認しづらくなるとともに、運転者が助手席用の情報を見ることにより、安全運転に支障をきたすという問題が一例として挙げられる。
【課題を解決するための手段】
【０００８】
上述した課題を解決し、目的を達成するため、請求項１の発明にかかる表示制御装置は、車両の運転席と助手席に対して、それぞれ情報を表示できる表示部を備えた表示制御装置において、地図上の検索対象となる任意の地点の入力を受け付ける入力手段と、地図情報データベースに記録された地図情報の中から、前記入力手段によって入力された任意の地点に関する情報を検索する検索手段と、前記検索手段によって検索された情報（以下、「検索情報」という）の中から、少なくとも前記任意の地点の位置情報を含む情報を、前記運転席に対して表示するために抽出する抽出手段と、前記抽出手段によって抽出された位置情報を含む情報を前記運転席、前記検索情報を前記助手席に対してそれぞれ表示部に表示する表示制御手段と、を備えることを特徴とする。
【０００９】
また、請求項５の発明にかかる表示制御装置は、車両の運転席と助手席に対して、それぞれ情報を表示できる表示部を備えた表示制御装置において、前記車両の現在地点を算出する現在地点算出手段と、地図情報データベースに記録された地図情報の中から、前記現在地点算出手段によって算出された現在地点を含む所定範囲の地図情報を抽出する地図情報抽出手段と、前記現在地点算出手段によって算出された現在地点近傍に位置する施設に関する情報（以下、「施設情報」という）を地図情報データベースから抽出する施設情報抽出手段と、前記地図情報抽出手段によって抽出された所定範囲の地図情報を前記運転席、前記施設情報を前記助手席に対してそれぞれ表示部に表示する表示制御手段と、を備えることを特徴とする。
【００１０】
また、請求項７の発明にかかる表示制御方法は、車両の運転席と助手席に対して、それぞれ情報を表示部に表示する表示制御方法において、地図上の検索対象となる任意の地点の入力を受け付ける入力工程と、地図情報データベースに記録された地図情報の中から、前記入力工程によって入力された任意の地点に関する情報を検索する検索工程と、前記検索工程によって検索された検索情報の中から、少なくとも前記任意の地点の位置情報を含む情報を、前記運転席に対して表示するために抽出する抽出工程と、前記抽出工程によって抽出された位置情報を含む情報を前記運転席、前記検索情報を前記助手席に対してそれぞれ表示部に表示する表示制御工程と、を含むことを特徴とする。
【００１１】
また、請求項８の発明にかかる表示制御方法は、車両の運転席と助手席に対して、それぞれ情報を表示できる表示部を備えた表示制御方法において、前記車両の現在地点を算出する現在地点算出工程と、地図情報データベースに記録された地図情報の中から、前記現在地点算出工程によって算出された現在地点を含む所定範囲の地図情報を抽出する地図情報抽出工程と、前記現在地点算出工程によって算出された現在地点近傍に位置する施設に関する情報（以下、「施設情報」という）を前記前記地図情報データベースから抽出する施設情報抽出工程と、前記地図情報抽出工程によって抽出された所定範囲の地図情報を前記運転席、前記施設情報を前記助手席に対してそれぞれ表示部に表示する表示制御工程と、を含むことを特徴とする。
【００１２】
また、請求項９の発明にかかる表示制御プログラムは、請求項７または８に記載の表示制御方法をコンピュータに実行させることを特徴とする。
【００１３】
また、請求項１０の発明にかかるコンピュータに読み取り可能な記録媒体は、請求項９に記載の表示制御プログラムを記録したことを特徴とする。
【発明を実施するための最良の形態】
【００１４】
以下に添付図面を参照して、この発明にかかる表示制御装置、表示制御方法、表示制御プログラムおよびコンピュータに読み取り可能な記録媒体の好適な実施の形態を詳細に説明する。
【００１５】
（実施の形態）
（表示制御装置の機能的構成）
図１を用いて、本実施の形態にかかる表示制御装置の機能的構成について説明する。図１は、本実施の形態にかかる表示制御装置の機能的構成の一例を示すブロック図である。
【００１６】
図１において、車両の運転席と助手席に対して、それぞれ情報を表示できる表示部１０５を備えた表示制御装置１００は、入力部１０１と、検索部１０２と、抽出部１０３と、表示制御部１０４と、表示部１０５と、地図情報データベース１１０と、から構成されている。
【００１７】
入力部１０１は、地図上の検索対象となる任意の地点の入力を受け付ける。任意の地点は、たとえば、搭乗者が経由地点を所望する地点を検索対象地点として入力を受け付ける構成としてもよい。具体的には、たとえば、検索対象地点の入力は、車両が走行中である場合、助手席に対して後述する表示部１０５に表示された情報に基づいてされた、助手席の搭乗者による入力を受け付けることとしてもよい。すなわち、車両が走行中である場合、運転者からは検索対象地点の入力をおこなうことができない構成としてもよい。
【００１８】
検索部１０２は、後述する地図情報データベース１１０に記録された地図情報の中から、入力部１０１によって入力された任意の地点に関する情報を検索する。より具体的には、たとえば、検索部１０２による検索は、任意の地点に関する緯度経度情報と経路情報とを含む位置情報と、任意の地点に関する利用情報と宣伝広告情報とを含む属性情報とを少なくとも含む検索情報を検索する構成としてもよい。
【００１９】
抽出部１０３は、検索部１０２によって検索された検索情報の中から、少なくとも任意の地点の位置情報を含む情報を、運転席に対して表示するために抽出する。また、抽出部１０３は、検索部１０２によって検索された検索情報の中から少なくとも任意の地点の属性情報を含む情報を、助手席に対して表示するために抽出することとしてもよい。
【００２０】
表示制御部１０４は、抽出部１０３によって抽出された位置情報を含む情報を運転席、検索情報を助手席に対してそれぞれ表示部１０５に表示する。また、表示制御部１０４は、位置情報を含む情報を運転席、属性情報を含む情報を助手席に対してそれぞれ表示することとしてもよい。
【００２１】
また、表示制御部１０４は、位置情報と検索情報の代わりに、車両の現在地点を含む所定範囲の地図情報を運転席、車両の現在地点近傍に位置する施設に関する施設情報を助手席に対してそれぞれ表示部１０５に表示することとしてもよい。
【００２２】
具体的には、たとえば、図示はしないが所定範囲の地図情報および施設情報は、現在地点算出部によって車両の現在地点を算出して、地図情報抽出部や施設情報抽出部などによって、後述する地図情報データベース１１０に記録された地図情報の中から抽出する構成でもよい。
【００２３】
また、施設情報の抽出は、たとえば、車両の現在地点が変化するに伴い、その近傍に位置する施設の施設情報を抽出することとしてもよい。その場合、表示制御部１０４は、施設情報の抽出に伴い前に表示されていた施設情報に変えて表示部１０５に表示する構成でもよい。
【００２４】
表示部１０５は、同一の表示画面によって車両の運転席と助手席に対して、それぞれ情報を表示できる構成であり、表示制御部１０４の制御にしたがって、位置情報を含む情報を運転席、検索情報を助手席に対してそれぞれ表示する。また、表示部１０５は、表示制御部１０４の制御にしたがって、位置情報を含む情報を運転席、属性情報を含む情報を助手席に対してそれぞれ表示することとしてもよい。
【００２５】
地図情報データベース１１０には、地図情報が記録されている。地図情報は、たとえば、道路に関する道路情報、所定の地点に関する位置情報や属性情報、施設に関する施設情報などでもよい。より具体的には、たとえば、位置情報は、所定の地点の緯度経度情報と経路情報とを含む情報でもよく、属性情報は、所定の地点に関する利用情報と宣伝広告情報とを含む情報などでもよい。また、施設情報は、施設の営業時間や名称や販売品目や得点情報などを含む情報でもよい
【００２６】
また、本実施の形態では、表示制御装置１００に地図情報データベース１１０を備える構成としたが、図示しない外部サーバに地図情報データベース１１０を備える構成として、表示制御装置１００は、通信によって地図情報を取得してもよい。
【００２７】
（表示制御装置１００の処理の内容）
つぎに、図２を用いて本実施の形態にかかる表示制御装置１００の処理の内容について説明する。図２は、本実施の形態にかかる表示制御装置の処理の内容を示すフローチャートである。図２のフローチャートにおいて、まず、入力部１０１によって、検索対象地点の入力を受け付けたか否かを判断する（ステップＳ２０１）。
【００２８】
ステップＳ２０１において、検索対象地点の入力を受け付けるのを待って、受け付けた場合（ステップＳ２０１：Ｙｅｓ）は、検索部１０２によって、地図情報データベース１１０に記録された地図情報の中から、ステップＳ２０１において入力された検索対象地点に関する情報を検索する（ステップＳ２０２）。
【００２９】
つぎに、抽出部１０３によって、ステップＳ２０２において検索された検索情報に基づいて、運転席に対して表示するための情報および助手席に対して表示するための情報を抽出する（ステップＳ２０３）。運転席に対して表示するための情報は、たとえば、少なくとも任意の地点の位置情報を含む情報でもよく、助手席に対して表示するための情報は、たとえば、少なくとも任意の地点の属性情報を含む情報でもよい。
【００３０】
そして、表示制御部１０４によって、ステップＳ２０３において抽出された情報を、表示部１０５を介して運転席と助手席に対してそれぞれ表示して（ステップＳ２０４）、一連の処理を終了する。
【００３１】
以上説明したように、本実施の形態によれば、車両を運転中であっても、助手席の搭乗者によって検索対象地点の属性情報を確認することができるため、運転者の安全運転を確保しつつ、搭乗者による目的地点設定の最適化を図ることができる。
【実施例】
【００３２】
以下に、本発明の実施例について説明する。本実施例では、たとえば、車両（四輪車、二輪車を含む）などの移動体に搭載されるナビゲーション装置によって、本発明の表示制御装置を実施した場合の一例について説明する。
【００３３】
（ナビゲーション装置のハードウェア構成）
まず、図３を用いて、本実施例にかかるナビゲーション装置のハードウェア構成について説明する。図３は、本実施例にかかるナビゲーション装置のハードウェア構成の一例を示すブロック図である。
【００３４】
図３において、ナビゲーション装置３００は、車両などの移動体に搭載されており、ＣＰＵ３０１と、ＲＯＭ３０２と、ＲＡＭ３０３と、磁気ディスクドライブ３０４と、磁気ディスク３０５と、光ディスクドライブ３０６と、光ディスク３０７と、音声Ｉ／Ｆ（インターフェース）３０８と、スピーカ３０９と、入力デバイス３１０と、映像Ｉ／Ｆ３１１と、ディスプレイ３１２と、通信Ｉ／Ｆ３１３と、ＧＰＳユニット３１４と、各種センサ３１５と、を備えている。また、各構成部３０１〜３１５はバス３２０によってそれぞれ接続されている。
【００３５】
まず、ＣＰＵ３０１は、ナビゲーション装置３００の全体の制御を司る。ＲＯＭ３０２は、ブートプログラム、現在地点算出プログラム、経路探索プログラム、経路誘導プログラム、音声生成プログラム、表示プログラム、通信プログラムなどの各種プログラムを記録している。また、ＲＡＭ３０３は、ＣＰＵ３０１のワークエリアとして使用される。
【００３６】
現在地点算出プログラムは、たとえば、後述するＧＰＳユニット３１４および各種センサ３１５の出力情報に基づいて、車両の現在地点（ナビゲーション装置３００の現在地点）を算出させる。
【００３７】
経路探索プログラムは、後述する磁気ディスク３０５に記録されている地図情報などを利用して、出発地点から目的地点までの最適な経路を探索させる。ここで、最適な経路とは、目的地点までの最短（あるいは最速）経路や利用者が指定した条件に最も合致する経路などである。また、目的地点のみならず、立ち寄り地点や休憩地点までの経路を探索してもよい。経路探索プログラムを実行することによって探索された誘導経路は、ＣＰＵ３０１を介して音声Ｉ／Ｆ３０８や映像Ｉ／Ｆ３１１へ出力される。
【００３８】
経路誘導プログラムは、経路探索プログラムを実行することによって探索された誘導経路情報、現在地点算出プログラムを実行することによって算出された車両の現在地点情報、後述する磁気ディスク３０５から読み出された地図情報に基づいて、リアルタイムな経路誘導情報の生成をおこなわせる。経路誘導プログラムを実行することによって生成された経路誘導情報は、ＣＰＵ３０１を介して音声Ｉ／Ｆ３０８や映像Ｉ／Ｆ３１１へ出力される。
【００３９】
音声生成プログラムは、パターンに対応したトーンと音声の情報を生成させる。すなわち、経路誘導プログラムを実行することによって生成された経路誘導情報に基づいて、案内ポイントに対応した仮想音源の設定と音声ガイダンス情報の生成をおこなわせる。生成された音声ガイダンス情報は、ＣＰＵ３０１を介して音声Ｉ／Ｆ３０８へ出力される。
【００４０】
表示プログラムは、映像Ｉ／Ｆ３１１を制御して、ディスプレイ３１２に表示する表示画像を切り替えさせる。具体的には、たとえば、地図情報を表示させるため、映像Ｉ／Ｆ３１１によってディスプレイ３１２に表示する地図情報の表示形式を決定させ、決定された表示形式によって地図情報をディスプレイ３１２に表示させる。
【００４１】
地図情報は、たとえば、後述するディスプレイ３１２において、複数の視点ごとに異なる表示となるように表示させてもよい。詳細は図４〜図６を用いて説明するが、具体的には、たとえば、地図情報の表示は、運転席と助手席に対して異なる地図情報を表示させるようにしてもよく、より具体的には、運転席に対して所定の地点の位置情報を表示し、助手席に対して所定の地点の詳細情報を表示させるようにしてもよい。所定の地点は、たとえば、目的地点として選択可能な地点などでもよく、各種施設や店舗などである。
【００４２】
なお、上記説明では運転席と助手席に対してそれぞれ異なる地図情報を表示させることとしたが、運転席と助手席に限ることなく、運転席と後部座席や、運転席と助手席と後部座席などに対してそれぞれ異なる表示となるようにしてもよい。
【００４３】
このように、運転席では安全運転を促す観点から、所定の地点の詳細情報を確認することができない場合でも、助手席の搭乗者によって、所定の地点の詳細情報を確認することができる。したがって、運転者および搭乗者は、所定の地点を目的地点に設定する場合などは、詳細情報を確認した上で選択することができるため、最適な選択が可能となる。
【００４４】
換言すれば、遠方などにおいてその地域の情報を取得し、目的地点を選択する場合など、運転者は、道路情報などを含む地図情報を確認して、効率的な経路を選択しながら運転し、助手席の搭乗者は、所定の地点の詳細情報などを確認して運転者に目的地点の提案をおこなうことができる。したがって、運転者および搭乗者の相互理解を図りつつ、運転の安全性を確保することができる。
【００４５】
また、表示プログラムは、テレビ放送を表示させるため、通信Ｉ／Ｆ３１３によって受信されたテレビ放送の受信電波にしたがって、映像Ｉ／Ｆ３１１によって表示形式を決定させ、決定された表示形式によってテレビ画像をディスプレイ３１２に表示画像として表示させることとしてもよい。
【００４６】
磁気ディスクドライブ３０４は、ＣＰＵ３０１の制御にしたがって磁気ディスク３０５に対するデータの読み取り／書き込みを制御する。磁気ディスク３０５は、磁気ディスクドライブ３０４の制御で書き込まれたデータを記録する。磁気ディスク３０５としては、たとえば、ＨＤ（ハードディスク）やＦＤ（フレキシブルディスク）を用いることができる。
【００４７】
磁気ディスク３０５に記録される情報の一例として、経路探索・経路誘導などに用いる地図情報が挙げられる。具体的には、たとえば、磁気ディスク３０５には、図５を用いて説明する地図情報ＤＢ（データベース）として、あらかじめ地図情報が記録されている構成としてもよい。
【００４８】
地図情報は、建物、河川、地表面などの地物（フィーチャ）をあらわす背景データと、道路の形状をあらわす道路形状データとを有しており、ディスプレイ３１２の表示画面において２次元または３次元に描画される。
【００４９】
また、地図情報は、たとえば、所定の地点に関する位置情報や詳細情報を含む情報であってもよい。詳細は図５を用いて説明するが、所定の地点に関する位置情報は、たとえば、目的地点として選択可能な地点の緯度経度情報と経路情報とを含む情報などである。また、所定の地点に関する詳細情報は、たとえば、目的地点として選択可能な地点における施設の利用情報と宣伝広告情報とを含む属性情報などでもよく、施設における販売情報や駐車情報や口コミ評価などを含む情報でもよい。
【００５０】
なお、本実施例では地図情報を磁気ディスク３０５に記録するようにしたが、後述する光ディスク３０７に記録するようにしてもよい。また、地図情報は、ナビゲーション装置３００のハードウェアと一体に設けられているものに限って記録されているものではなく、ナビゲーション装置３００外部に設けられていてもよい。その場合、ナビゲーション装置３００は、たとえば、通信Ｉ／Ｆ３１３を通じて、ネットワークを介して地図情報を取得する。取得された地図情報はＲＡＭ３０３などに記録される。
【００５１】
光ディスクドライブ３０６は、ＣＰＵ３０１の制御にしたがって光ディスク３０７に対するデータの読み取り／書き込みを制御する。光ディスク３０７は、光ディスクドライブ３０６の制御にしたがってデータの読み出される着脱自在な記録媒体である。光ディスク３０７は、書き込み可能な記録媒体を利用することもできる。また、この着脱可能な記録媒体として、光ディスク３０７のほか、ＭＯ、メモリカードなどであってもよい。
【００５２】
音声Ｉ／Ｆ３０８は、音声出力用のスピーカ３０９に接続される。スピーカ３０９からは音声が出力される。なお、スピーカ３０９は、車両に複数設置されていてもよい。
【００５３】
入力デバイス３１０は、文字、数値、各種指示などの入力のための複数のキーを備えたリモコン、キーボード、マウス、タッチパネルなどが挙げられる。
【００５４】
映像Ｉ／Ｆ３１１は、ディスプレイ３１２と接続される。映像Ｉ／Ｆ３１１は、具体的には、たとえば、ディスプレイ３１２全体の制御をおこなうグラフィックコントローラと、即時表示可能な画像情報を一時的に記録するＶＲＡＭ（Ｖｉｄｅｏ  ＲＡＭ）などのバッファメモリと、グラフィックコントローラから出力される画像データに基づいて、ディスプレイ３１２を表示制御する制御ＩＣなどによって構成される。
【００５５】
ディスプレイ３１２には、アイコン、カーソル、メニュー、ウインドウ、あるいは文字や画像などの各種データが表示される。このディスプレイ３１２は、たとえば、ＣＲＴ、ＴＦＴ液晶ディスプレイ、プラズマディスプレイなどを採用することができる。本実施例では、概要を図４〜図６を用いて説明するが、ディスプレイ３１２は、複数のＬＥＤ（Ｌｉｇｈｔ  Ｅｍｉｔｔｉｎｇ  Ｄｉｏｄｅ）と、導光板と、表示パネルとによって複数の視点に対して文字や画像などの各種データを表示できる構成である。
【００５６】
通信Ｉ／Ｆ３１３は、無線を介してネットワークに接続され、ナビゲーション装置３００とＣＰＵ３０１とのインターフェースとして機能する。通信Ｉ／Ｆ３１３は、さらに、無線を介してインターネットなどの通信網に接続され、この通信網とＣＰＵ３０１とのインターフェースとしても機能する。
【００５７】
通信網には、ＬＡＮ、ＷＡＮ、公衆回線網や携帯電話網などがある。具体的には、通信Ｉ／Ｆ３１３は、たとえば、ＦＭチューナー、ＶＩＣＳ（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）／ビーコンレシーバ、無線ナビゲーション装置、およびその他のナビゲーション装置によって構成され、ＶＩＣＳセンターから配信される渋滞や交通規制などの道路交通情報を取得する。なお、ＶＩＣＳは登録商標である。
【００５８】
ＧＰＳユニット３１４は、ＧＰＳ衛星からの電波を受信し、車両の現在地点を示す情報を出力する。ＧＰＳユニット３１４の出力情報は、後述する各種センサ３１５の出力値とともに、ＣＰＵ３０１による車両の現在地点の算出に際して利用される。現在地点を示す情報は、たとえば緯度・経度、高度などの、地図情報上の１点を特定する情報である。
【００５９】
各種センサ３１５は、車速センサや加速度センサ、角速度センサなどを含み、車両の位置や挙動を判断することが可能な情報を出力する。各種センサ３１５の出力値は、ＣＰＵ３０１による車両の現在地点の算出や、速度や方位の変化量の測定などに用いられる。
【００６０】
なお、実施の形態にかかる表示制御装置１００の機能的構成のうち、入力部１０１は入力デバイス３１０によって、検索部１０２や抽出部１０３はＣＰＵ３０１によって、表示制御部１０４はＣＰＵ３０１や映像Ｉ／Ｆ３１１によって、表示部１０５はディスプレイ３１２によって、地図情報データベース１１０は磁気ディスク３０５や光ディスク３０７などの記録媒体によって、それぞれその機能を実現する。
【００６１】
（ディスプレイ３１２による表示の概要）
つぎに、図４を用いて、本実施例にかかるディスプレイ３１２による表示の概要について説明する。図４は、本実施例にかかるディスプレイによる表示の概要を示す説明図である。
【００６２】
図４において、ディスプレイ３１２は、ＬＥＤ４０１，４０２と、導光板４０３と、表示パネル４０４と、から構成されており、複数の視点に対して、それぞれ異なる地図情報４２１，４２２を表示する。
【００６３】
ＬＥＤ４０１，４０２は、映像Ｉ／Ｆ３１１からそれぞれの視点に表示するための地図情報に関する画像データ４１１，４１２の入力を受け付けるとともに、光源として導光板４０３に対して画像データ４１１，４１２に応じた光を照射する。
【００６４】
導光板４０３は、ＬＥＤ４０１，４０２から照射された光を反射させることによって、表示パネル４０４に光を照射する。表示パネル４０４は、導光板４０３から照射された光を、それぞれ異なる地図情報４２１，４２２として、運転者および助手席の搭乗者に表示する。
【００６５】
なお、図４の説明では、運転者および助手席の搭乗者に異なる地図情報４２１，４２２を表示することとしているが、２つ以上の導光板によって、その他の座席に対しても異なる地図情報４２１，４２２を表示する構成としてもよい。具体的には、たとえば、運転席には地図情報４２１を表示し、助手席および後部座席には、地図情報４２１とは異なる地図情報４２２や、その他の画像情報を表示する構成としてもよい。また、ディスプレイ３１２は、図４を用いて説明した構成に限ることなく、その他、複数の視点ごとに異なる情報を表示できる構成であればよい。
【００６６】
（地図情報ＤＢの概要）
つぎに、図５を用いて、本実施例にかかる地図情報ＤＢの概要について説明する。図５は、本実施例にかかる地図情報ＤＢの概要を示す説明図である。
【００６７】
図５において、地図情報ＤＢ５００は、図３に示した磁気ディスク３０５や光ディスク３０７などによってその機能を実現し、所定の地点である「○×土産店」５０１や「△△料理店」５０２に関する地図情報が記録されている。より具体的には、たとえば、「○×土産店」５０１に関する地図情報は、詳細情報５１０と位置情報５１１とを含む情報でもよい。
【００６８】
「○×土産店」５０１の詳細情報５１０は、たとえば、「○×土産店」５０１における販売品の販売情報や、駐車場の空きあるいは有無などに関する駐車情報や、評判に関する口コミ評価などを含む情報である。また、「○×土産店」５０１の位置情報５１１は、たとえば、「○×土産店」５０１の緯度経度情報や、経路情報などを含む情報である。
【００６９】
（地図情報４２１，４２２の表示の概要）
ここで、図６を用いて、本実施例にかかる地図情報４２１，４２２の表示の概要について説明する。図６は、本実施例にかかる地図情報の表示の概要を示す説明図である。
【００７０】
図６において、車両内部には、運転席６０１と、助手席６０２と、ディスプレイ３１２と、が設置されており、運転席６０１には運転者６１１、助手席６０２には搭乗者６１２がそれぞれ着座している。
【００７１】
ディスプレイ３１２は、図４に示した地図情報４２１，４２２をそれぞれ運転者６１１および搭乗者６１２に対して表示している。
【００７２】
具体的には、たとえば、地図情報４２１，４２２の表示は、まず、不図示のＣＰＵ３０１によって、検索対象地点である「○×土産店」５０１の地図情報の中から詳細情報５１０および位置情報５１１を抽出する。そして、ディスプレイ３１２は、それぞれ詳細情報５１０を表示するための画像データ４１２および位置情報５１１を表示するための画像データ４１１の入力を受け付けることにより、運転者６１１に対して位置情報５１１を含む地図情報４２１を表示するとともに、搭乗者６１２に対して詳細情報５１０を含む地図情報４２２を表示する構成である。
【００７３】
（ナビゲーション装置３００の処理の内容）
つぎに、図７を用いて、本実施例にかかるナビゲーション装置３００の処理の内容について説明する。図７は、本実施例にかかるナビゲーション装置における処理の内容を示すフローチャートである。図７のフローチャートにおいて、まず、入力デバイス３１０によって、地図情報の表示要求を受け付けたか否かを判断する（ステップＳ７０１）。地図情報の表示要求は、たとえば、運転者６１１や搭乗者６１２の操作によって受け付ける構成や、車両が走行を開始したら自動的に表示要求を受け付ける構成としてもよい。
【００７４】
ステップＳ７０１において、地図情報の表示要求を受け付けるのを待って、受け付けた場合（ステップＳ７０１：Ｙｅｓ）は、ディスプレイ３１２によって、助手席６０２側に対して目的地点の検索用画面を表示する（ステップＳ７０２）とともに、運転席６０１側に対して誘導用地図情報を表示する（ステップＳ７０７）。
【００７５】
検索用画面は、たとえば、目的地点の設定希望を受け付けるための情報を表示する構成でもよく、目的地点の入力を促したり、目的地点に関する詳細情報を表示したりする構成でもよい。
【００７６】
また、誘導用地図情報は、たとえば、車両の現在地点を含む経路情報でもよく、現在走行している経路を表示したり、目的地点が設定されていれば、目的地点までの経路を表示したりすることとしてもよい。
【００７７】
つぎに、ステップＳ７０２において表示された検索用画面に応じて、入力デバイス３１０によって、助手席６０２側から目的地点検索のための操作に関する検索操作入力を受け付けたか否かを判断する（ステップＳ７０３）。
【００７８】
ステップＳ７０３において、検索操作入力を受け付けない場合（ステップＳ７０３：Ｎｏ）は、そのまま一連の処理を終了する。また、図７のフローチャートでは説明を省略するが、検索操作入力を受け付ける代わりに、ディスプレイ３１２に表示する情報の選択を受け付ける構成としてもよい。具体的には、たとえば、ディスプレイ３１２によって、助手席６０２側には、テレビ画像やＤＶＤ映像などを表示することとしてもよい。
【００７９】
また、ステップＳ７０３において、検索操作入力を受け付けた場合（ステップＳ７０３：Ｙｅｓ）は、ディスプレイ３１２によって、入力された検索操作入力に基づいてされた検索に関する検索結果を表示する（ステップＳ７０４）。具体的には、たとえば、検索は、助手席６０２の搭乗者６１２が入力デバイス３１０を操作することによって入力された検索対象地点に関する情報を、地図情報ＤＢ５００に記録された地図情報の中から検索する構成でもよい。
【００８０】
そして、入力デバイス３１０によって、ステップＳ７０４における検索結果に基づいて助手席６０２側の搭乗者６１２から、目的地点の設定希望を受け付けたか否かを判断する（ステップＳ７０５）。具体的には、たとえば、目的地点の設定希望は、搭乗者６１２が助手席６０２側に表示された検索結果を確認することによって、入力デバイス３１０を搭乗者６１２が操作して目的地点を設定するか否かに関する入力をおこなう構成としてもよい。
【００８１】
ステップＳ７０５において、目的地点の設定希望を受け付けない場合（ステップＳ７０５：Ｎｏ）は、ステップＳ７０３へ戻って処理を繰り返す。
【００８２】
また、ステップＳ７０５において、目的地点の設定希望を受け付けた場合（ステップＳ７０５：Ｙｅｓ）は、目的地点に関する位置情報を運転席６０１側に表示するために、ＣＰＵ３０１によって、映像Ｉ／Ｆ３１１に対して位置情報表示要求を出力し（ステップＳ７０６）、入力デバイス３１０によって位置情報表示要求を受け付けたか否かを判断する（ステップＳ７０８）。
【００８３】
また、ステップＳ７０７において誘導用地図情報を表示した後、入力デバイス３１０によって位置情報表示要求を受け付けたか否かを判断する（ステップＳ７０８）。位置情報表示要求は、たとえば、ステップＳ７０６において助手席６０２側からの操作によっておこなわれる構成でもよく、目的地点の設定希望となる地点の位置情報を表示させるための要求である。
【００８４】
ステップＳ７０８において、位置情報表示要求を受け付けない場合（ステップＳ７０８：Ｎｏ）は、ステップＳ７０７に戻って処理を繰り返す。
【００８５】
また、ステップＳ７０８において位置情報表示要求を受け付けた場合（ステップＳ７０８：Ｙｅｓ）は、ディスプレイ３１２によって、ステップＳ７０４において検索された検索結果の中から位置情報表示要求をされた目的地点に関する位置情報を表示する（ステップＳ７０９）。
【００８６】
その後、ＣＰＵ３０１によって、ステップＳ７０９において表示された位置情報に含まれる目的地点について、目的地点に設定するか否を判断する（ステップＳ７１０）。具体的には、たとえば、目的地点の設定に関する判断は、ステップＳ７０９において表示された位置情報を運転者６１１が確認することで、運転者６１１が目的地点に設定することを承認した場合に、入力デバイス３１０によって目的地点の設定に関する操作入力を受け付けることとしてもよい。なお、操作入力は、運転者６１１が車両を運転中であれば、助手席６０２の搭乗者６１２によっておこなわれることとしてもよい。
【００８７】
ステップＳ７１０において、目的地点に設定しない場合（ステップＳ７１０：Ｎｏ）は、ステップＳ７０２およびステップＳ７０７に戻ってそれぞれ処理を繰り返す。
【００８８】
また、ステップＳ７１０において、目的地点に設定する場合（ステップＳ７１０：Ｙｅｓ）は、ＣＰＵ３０１によって、目的地点を設定し（ステップＳ７１１）、一連の処理を終了する。なお、図７のフローチャートでは説明を省略したが、ステップＳ７１１において設定された目的地点を用いて、ＣＰＵ３０１によって経路探索や経路誘導などの各種ナビゲーション処理をおこなう構成としてもよい。
【００８９】
以上説明したように、本実施例によれば、運転者が車両を運転中であっても同一のディスプレイによって、運転者に対しては位置情報、搭乗者に対しては詳細情報を表示できるため、安全運転を阻害することなく目的地点の最適な選択を図ることができる。
【００９０】
また、運転席と助手席とは異なる別の座席に対しても詳細情報を表示できる構成とすれば、多くの搭乗者の意見を反映させた目的地点の設定が可能となり、車両の搭乗者間における相互理解の円滑化を図ることができる。
【００９１】
なお、本実施の形態で説明した表示制御方法は、あらかじめ用意されたプログラムをパーソナル・コンピュータやワークステーションなどのコンピュータで実行することにより実現することができる。このプログラムは、ハードディスク、フレキシブルディスク、ＣＤ−ＲＯＭ、ＭＯ、ＤＶＤなどのコンピュータで読み取り可能な記録媒体に記録され、コンピュータによって記録媒体から読み出されることによって実行される。またこのプログラムは、インターネットなどのネットワークを介して配布することが可能な伝送媒体であってもよい。
【図面の簡単な説明】
【００９２】
【図１】本実施の形態にかかる表示制御装置の機能的構成の一例を示すブロック図である。
【図２】本実施の形態にかかる表示制御装置の処理の内容を示すフローチャートである。
【図３】本実施例にかかるナビゲーション装置のハードウェア構成の一例を示すブロック図である。
【図４】本実施例にかかるディスプレイによる表示の概要を示す説明図である。
【図５】本実施例にかかる地図情報ＤＢの概要を示す説明図である。
【図６】本実施例にかかる地図情報の表示の概要を示す説明図である。
【図７】本実施例にかかるナビゲーション装置における処理の内容を示すフローチャートである。
【符号の説明】
【００９３】
１００  表示制御装置
１０１  入力部
１０２  検索部
１０３  抽出部
１０４  表示制御部
１０５  表示部
１１０  地図情報データベース
【図１】
2008020274.tif 000003
【図２】
2008020274.tif 000004
【図３】
2008020274.tif 000005
【図４】
2008020274.tif 000006
【図５】
2008020274.tif 000007
【図６】
2008020274.tif 000008
【図７】
2008020274.tif 000009